(57)【要約】【課題】複数の電気機器の電源を適切に切断して消費電力を削減する。【解決手段】複数の電気機器が接続されている複数のブレーカへの電力を削減する電力削減装置１０であって、複数の電気機器の電流および電圧に関する特徴量を抽出して、各電気機器がいずれの種類の電気機器かを推定する機器推定部１５２と、機器推定部により推定された各電気機器の種類に応じて、各電気機器が接続された複数のブレーカの電力供給を制御する電力供給制御部１６２と、を備えることを特徴とする、電力削減装置を提供する。【選択図】図１
2010231327.tif 000002
【特許請求の範囲】
【請求項１】
複数の電気機器が接続されている複数のブレーカへの電力を削減する電力削減装置であって、
複数の電気機器の電流および電圧に関する特徴量を抽出して、各電気機器がいずれの種類の電気機器かを推定する機器推定部と、
前記機器推定部により推定された各電気機器の種類に応じて、前記各電気機器が接続された前記複数のブレーカの電力供給を制御する電力供給制御部と、
を備えることを特徴とする、電力削減装置。
【請求項２】
前記電力供給制御部は、前記機器推定部により推定された電気機器の種類が電源切断不可能な電気機器の種類であると判断した場合に電力供給を継続し、前記電気機器が電源切断可能であると判断した場合に電力供給を切断することを特徴とする、請求項１に記載の電力削減装置。
【請求項３】
前記複数の電気機器の稼動状況を取得する稼動状況取得部と、
前記稼動状況取得部により取得された前記各電気機器の稼動状況と、前記各電気機器の通信状況とから、各電気機器の通信アドレスを特定するアドレス特定部と、
前記各ブレーカに接続された複数の電器機器の、各電器機器の種類と通信アドレスと稼動状況とが関連付けられた機器テーブル作成するテーブル作成部と、
を備え、
前記電力供給制御部は、
前記テーブル作成部により作成された前記機器テーブルに基づいて、前記各電気機器が接続された前記複数のブレーカの電力供給を制御することを特徴とする、請求項１または２のいずれかに記載の電力削減装置。
【請求項４】
ネットワークを介して前記各電気機器との間でメッセージの送受信をする送受信部を備え、
前記送受信部は、前記電力供給制御部の指示に応じて電力供給を切断する旨のメッセージを前記複数の電気機器に送信することを特徴とする、請求項１〜３のいずれかに記載の電力削減装置。
【請求項５】
前記送受信部は、前記各電気機器から電力供給の切断可否のメッセージを受信し、
前記電力供給制御部は、前記送受信部により前記電気機器の電力供給の切断不可のメッセージを受信した場合に、前記電気機器への電力供給を継続することを特徴とする、請求項４に記載の電力削減装置。
【請求項６】
前記テーブル作成部により作成された前記機器テーブルの内容を表示する表示部と、
ユーザ操作に応じて、前記表示部に表示された前記機器テーブルの内容を変更入力する入力部と、
を備えることを特徴とする、請求項１〜５のいずれかに記載の電力削減装置。
【請求項７】
ユーザ操作により電力供給切断ボタンが押下されたか否かを検知するボタン押下検知部を備え、
前記電力供給制御部は、前記ボタン押下検知部により退場ボタンが押下されたことが検知された場合に、前記機器テーブルに基づいて前記複数のブレーカの電力供給を制御することを特徴とする、請求項１〜６のいずれかに記載の電力削減装置。
【請求項８】
ユーザが最終退場したか否かを判断する最終退場判断部を備え、
前記電力供給制御部は、前記最終退場判断部により、ユーザが最終退場したと判断された場合に、前記機器テーブルに基づいて前記複数のブレーカの電力供給を制御することを特徴とする、請求項１〜７のいずれかに記載の電力削減装置。
【請求項９】
複数の電気機器が接続されている複数のブレーカへの電力を削減する電力削減装置において、
複数の電気機器の電流および電圧に関する特徴量を抽出して、各電気機器がいずれの種類の電気機器かを推定するステップと、
前記推定するステップにおいて推定された各電気機器の種類に応じて、前記各電気機器が接続された前記複数のブレーカの電力供給を制御するステップと、
を含むことを特徴とする、電力削減方法。
【発明の詳細な説明】
【技術分野】
【０００１】
本発明は、電力削減装置および電力削減方法に関し、特に、複数のブレーカに接続されている複数の電機機器への電力供給を制御する電力削減装置および電力削減方法に関する。
【背景技術】
【０００２】
従来、複数のＯＡ機器が設置されたオフィス環境において、人がオフィス等から退去する際に主電源の切り忘れを警告して、電力の浪費を防止することが行われている。例えば、特許文献１では、照明器具のオン・オフスイッチとＯＡ機器等に電力を供給する主電源のオン・オフスイッチが異なる際に、照明光の変化を感知し、人間がオフィス等から退去するときの主電源の切り忘れを警告する技術が記載されている。
【先行技術文献】
【特許文献】
【０００３】
【特許文献１】特開平６−２３６２２７号公報
【発明の概要】
【発明が解決しようとする課題】
【０００４】
しかし、上記特許文献１では、照明光の変化を感知して、オフィスの最終退場者に主電源の切り忘れを警告するのみで、コンセントを含めたオフィス全体の待機電流を制御することができなかった。ＰＣ等の待機電流の大きい機器が多く存在するオフィスにおいては、照明光を制御するだけではオフィス全体の消費電力を効果的に削減して省エネを実現することができないという問題があった。
そこで、本発明は、上記問題に鑑みてなされたものであり、本発明の目的とするところは、複数の電気機器の電源を適切に切断して消費電力を削減することが可能な、新規かつ改良された電力削減装置および電力削減方法を提供することにある。
【課題を解決するための手段】
【０００５】
上記課題を解決するために、本発明のある観点によれば、複数の電気機器が接続されている複数のブレーカへの電力を削減する電力削減装置であって、複数の電気機器の電流および電圧に関する特徴量を抽出して、各電気機器がいずれの種類の電気機器かを推定する機器推定部と、機器推定部により推定された各電気機器の種類に応じて、各電気機器が接続された複数のブレーカの電力供給を制御する電力供給制御部と、を備えることを特徴とする、電力削減装置が提供される。
【０００６】
かかる構成によれば、電力削減装置は、複数の電気機器の電流および電圧に関する特徴量を抽出して、各電気機器がいずれの種類の電気機器かを推定し、推定した電気機器の種類に応じて電気機器が接続されたブレーカの電力供給を制御する。例えば、電気機器の種類が電源切断不可能な電気機器である場合には電力供給を継続し、電気機器が電源切断可能であると判断した場合には電力供給を切断する。これにより、複数の電気機器の電源を適切に切断して消費電力を削減することが可能となる。
【０００７】
また、電力供給制御部は、機器推定部により推定された電気機器の種類が電源切断不可能な電気機器の種類であると判断した場合に電力供給を継続し、電気機器が電源切断可能であると判断した場合に電力供給を切断するようにしてもよい。
【０００８】
また、電力削減装置は、複数の電気機器の稼動状況を取得する稼動状況取得部と、稼動状況取得部により取得された各電気機器の稼動状況と、各電気機器の通信状況とから、各電気機器の通信アドレスを特定するアドレス特定部と、各ブレーカに接続された複数の電器機器の、各電器機器の種類と通信アドレスと稼動状況とが関連付けられた機器テーブル作成するテーブル作成部と、を備え、電力供給制御部は、テーブル作成部により作成された機器テーブルに基づいて、各電気機器が接続された複数のブレーカの電力供給を制御するようにしてもよい。
【０００９】
また、電力削減装置は、ネットワークを介して各電気機器との間でメッセージの送受信をする送受信部を備え、送受信部は、電力供給制御部の指示に応じて電力供給を切断する旨のメッセージを複数の電気機器に送信するようにしてもよい。
【００１０】
また、送受信部は、各電気機器から電力供給の切断可否のメッセージを受信し、
電力供給制御部は、送受信部により電気機器の電力供給の切断不可のメッセージを受信した場合に、電気機器への電力供給を継続するようにしてもよい。
【００１１】
また、電力削減装置は、テーブル作成部により作成された機器テーブルの内容を表示する表示部と、ユーザ操作に応じて、表示部に表示された機器テーブルの内容を変更入力する入力部と、を備えてもよい。
【００１２】
また、電力削減装置は、ユーザ操作により電力供給切断ボタンが押下されたか否かを検知するボタン押下検知部を備え、電力供給制御部は、ボタン押下検知部により退場ボタンが押下されたことが検知された場合に、機器テーブルに基づいて複数のブレーカの電力供給を制御するようにしてもよい。
【００１３】
また、ユーザが最終退場したか否かを判断する最終退場判断部を備え、電力供給制御部は、最終退場判断部により、ユーザが最終退場したと判断された場合に、機器テーブルに基づいて複数のブレーカの電力供給を制御するようにしてもよい。
【００１４】
また、上記課題を解決するために、本発明の別の観点によれば、複数の電気機器が接続されている複数のブレーカへの電力を削減する電力削減装置において、複数の電気機器の電流および電圧に関する特徴量を抽出して、各電気機器がいずれの種類の電気機器かを推定するステップと、推定するステップにおいて推定された各電気機器の種類に応じて、各電気機器が接続された複数のブレーカの電力供給を制御するステップと、を含むことを特徴とする、電力削減方法が提供される。
【発明の効果】
【００１５】
以上説明したように本発明によれば、複数の電気機器の電源を適切に切断して消費電力を削減することができる。
【図面の簡単な説明】
【００１６】
【図１】本発明の第１の実施形態にかかる電力削減装置の構成を示すブロック図である。
【図２】同実施形態にかかるブレーカの機能構成を示すブロック図である。
【図３】同実施形態にかかるコントローラの機能構成を示すブロック図である。
【図４】同実施形態にかかる機器テーブルの内容を説明する説明図である。
【図５】同実施形態にかかる機器テーブルの内容を説明する説明図である。
【図６】同実施形態にかかる電力削減方法における学習工程を示すフローチャートである。
【図７】同実施形態にかかる電力削減方法における実行工程を示すフローチャートである。
【図８】本発明の第２の実施形態にかかるコントローラの機能構成を示すブロック図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
また、以下に示す順序に従って、当該「発明を実施するための形態」を説明する。
〔１〕本実施形態の目的
〔２〕第１実施形態
〔２−１〕電力削減装置の機能構成
〔２−２〕電力削減方法の処理の詳細
〔３〕第２実施形態
〔３−１〕電力削減装置の機能構成
〔３−２〕電力削減方法の処理の詳細
【００１９】
〔１〕本実施形態の目的
まず、本発明の実施形態の目的について説明する。従来、複数のＯＡ機器が設置されたオフィス環境において、人がオフィス等から退去する際に主電源の切り忘れを警告して、電力の浪費を防止することが行われている。例えば、照明器具のオン・オフスイッチとＯＡ機器等に電力を供給する主電源のオン・オフスイッチが異なる際に、照明光の変化を感知し、人間がオフィス等から退去するときの主電源の切り忘れを警告する技術が開示されている。
【００２０】
しかし、上記技術では、照明光の変化を感知して、オフィスの最終退場者に主電源の切り忘れを警告するのみで、コンセントを含めたオフィス全体の待機電流を制御することができなかった。ＰＣ等の待機電流の大きい機器が多く存在するオフィスにおいては、照明光を制御するだけではオフィス全体の消費電力を効果的に削減して省エネを実現することができないという問題があった。
【００２１】
そこで、上記のような事情を一着眼点として、本発明の実施形態にかかる電力削減システム１が創作されるに至った。本実施形態にかかる電力削減システム１によれば、複数の電気機器の電源を適切に切断して消費電力を削減することが可能となる。
【００２２】
〔２〕第１実施形態
以上、本発明の実施形態の目的について説明した。次に、図１を参照して、本実施形態にかかる電力削減システム１の構成について説明する。電力削減システム１は、複数のブレーカを含む電力削減装置１０と、複数のブレーカに接続されているコンセント２０ａ、２０ｂ、２０ｃ、２０ｄ（以下、コンセント２０とも称する。）と、該コンセントに接続されている複数の電気機器から構成される。
【００２３】
図１に示した電力削減システム１では、例えば、電力削減システム１を備えているオフィスの最終退場者が帰宅する際に、退場ボタン３０が押下されて、コンセントを含む電源を切断することにより、無駄な待機電流を削減する。また、電源を切断する際には、コンセントを介して接続されている電器機器が電源切断可能であるか否かを判断して、電源切断可能な電気機器のみである場合にコンセント等の電源を切断する。一方、コンセントに接続されている電器機器のうち電源切断不可能であると判断された電気機器が含まれている場合には、コンセント等の電源を切断しない。これにより、複数の電気機器の電源を適切に切断して消費電力を削減することが可能となる。
【００２４】
電力削減装置１０としては、例えば、主幹電源に接続されている分電板などを例示することができる。以下では、電力削減システム１に一つの電力削減装置１０が備えられているが、かかる例に限定されず、電力削減システム１に複数の電力削減装置が備えられていてもよい。
【００２５】
〔２−１〕電力削減装置の機能構成
電力削減装置１０の機能構成を説明する前に、電力削減装置１０のハードウェア構成の一例について説明する。電力削減装置１０は、例えば、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、入力装置と、出力装置と、ストレージ装置（ＨＤＤ）などを備える。
【００２６】
ＣＰＵは、演算処理装置および制御装置として機能し、各種プログラムに従って電力削減装置１０の動作全般を制御する。また、ＣＰＵは、マイクロプロセッサであってもよい。ＲＯＭは、ＣＰＵが使用するプログラムや演算パラメータ等を記憶する。ＲＡＭは、ＣＰＵの実行において使用するプログラムや、その実行において適宜変化するパラメータ等を一次記憶する。これらはＣＰＵバスなどから構成されるホストバスにより相互に接続されている。
【００２７】
入力装置は、例えば、マウス、キーボード、タッチパネル、ボタン、マイク、スイッチおよびレバーなどユーザが情報を入力するための入力手段と、ユーザによる入力に基づいて入力信号を生成し、ＣＰＵに出力する入力制御回路などから構成されている。
【００２８】
出力装置は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。入力装置および出力装置は、例えば、携帯電話、ＰＤＡ（Ｐｅｒｓｏｎａｌ  Ｄｉｇｉｔａｌ  Ａｓｓｉｓｔａｎｔ）、スマートフォン等を利用することができる。
【００２９】
ストレージ装置は、記憶媒体、記憶媒体にデータを記録する記録装置、記憶媒体からデータを読み出す読出し装置および記憶媒体に記録されたデータを削除する削除装置などを含むことができる。ストレージ装置は、例えば、ＨＤＤ（Ｈａｒｄ  Ｄｉｓｋ  Ｄｒｉｖｅ）で構成される。このストレージ装置は、ハードディスクを駆動し、ＣＰＵが実行するプログラムや各種データを格納する。
【００３０】
以上、電力削減装置１０のハードウェア構成について説明した。図１に示したように、電力削減装置１０は、ブレーカ＃１−１００ａ、ブレーカ＃２−１００ｂ・・・ブレーカ＃Ｎ−１００ｃ（以下、ブレーカ１００とも称する）、メインブレーカ１２０、コントローラ１５０、ネットワーク接続部１８０などを主に備える。
【００３１】
メインブレーカ１２０は、主幹電源に接続されており、複数のブレーカ１００と接続されている。また、複数のブレーカ１００はコントローラ１５０およびネットワーク接続部１８０と接続されている。また、退場ボタン３０および入力部４０は、上記した入力装置により構成される。また、表示部５０は、上記した出力装置により構成される。退場ボタン３０、入力部４０および表示部５０は、電力削減装置１０とは別体の装置としたが、電力削減装置１０と一体の装置として構成してもよい。
【００３２】
メインブレーカ１２０は、複数のブレーカ１００に接続し、複数のブレーカ１００に主幹電源から供給された電気を各ブレーカに供給する。また、複数のブレーカ１００に流れる電気量が所定量以上か否かを検知する機能を有する。メインブレーカ１２０は、複数のブレーカ１００に流れる電気量が所定量以上か否かにより、複数のブレーカ１００への電気を流したり遮断したりする。例えば、メインブレーカ１２０に接続されている複数のブレーカ１００に流れる電気量の総計が所定量以上となった場合には、複数のブレーカ１００への電気を遮断する。
【００３３】
複数のブレーカ１００は、それぞれ、コンセント２０を介して複数の電気機器に接続され、各電気機器にメインブレーカ１２０から供給された電気を複数の電気機器に供給する。また、ネットワーク経由でコントローラ１５０に接続されている。各ブレーカ１００は、ブレーカ１００にそれぞれ接続されている複数の電気機器に関する情報をコントローラ１５０に送信する。
【００３４】
コントローラ１５０は、コンピュータにより構成され、その動作は、上記したＲＯＭに記憶されたプログラムをもとに、ＣＰＵで実行される。コントローラ１５０は、複数のブレーカ１００から提供される複数の電気機器に関する情報に基づいて、各電気機器がどの種類の電気機器であるかを推定する。そして、各電気機器の種類に応じて、各電気機器が接続された複数のブレーカの電力供給を制御する機能を有する。また、複数の電気機器の稼動状況やネットワーク接続部１８０を介して収集可能な通信状況などから各電気機器が電源切断可能であるか否かを判断する。コントローラ１５０の各ブレーカに対する電力供給制御については、後で詳細に説明する。
【００３５】
ネットワーク接続部１８０は、コントローラ１５０と複数の電気機器とをネットワークを介して接続する機能を有する。ネットワーク接続部１８０は、本発明の送受信部の一例である。以上、電力削減装置１０の機能構成について説明した。次に、図２を参照して、ブレーカ１００の機能構成について説明する。図２は、ブレーカ１００の機能構成を示すブロック図である。
【００３６】
図２に示したように、ブレーカ１００は、ネットワーク接続部１０２、制御部１０４、特徴量抽出部１０６、センサ部１０８、リレー回路１１０などを備える。なお、ブレーカ１００は、電力削減装置１０と同様のハードウェア構成を有するようにしてもよい。
【００３７】
ネットワーク接続部１０２は、上記したコントローラ１５０とネットワークを介して接続し、制御部１０４の制御のもと、各種データを送受信する機能を有する。制御部１０４は、コンピュータにより構成され、その動作はＲＯＭに記憶されたプログラムをもとに、ＣＰＵで実行される。制御部１０４は、センサ部１０８などにより検知された各電気機器の情報をコントローラ１５０に通知したり、コントローラ１５０の制御のもと、リレー回路１１０により各電気機器への電源をオン／オフしたりする。
【００３８】
センサ部１０８は、ブレーカに接続されている複数の電気機器の電源電流および電源電圧を検出して、特徴量抽出部１０６に提供する機能を有する。特徴量抽出部１０６は、センサ部１０８により提供された複数の電気機器の電源電流よび電源電圧から、各電気機器の特徴量を抽出する機能を有する。特徴量抽出部１０６は、センサ部１０８により検出された電源電流および電源電圧に対応する検出信号をデジタル信号に変換するＡ／Ｄ変換回路を有している。特徴量抽出部１０６は、電源電流および電源電圧対応のデジタル信号を制御部１０４に提供する。
【００３９】
電源電流および電源電圧対応のデジタル信号を提供された制御部１０４は、ネットワーク接続部１０２を介して、該デジタル信号の情報をコントローラ１５０に送信する。本実施形態では、後述するように、コントローラ１５０において各電気機器の種類を推定するようにしているが、かかる例に限定されない。例えば、電源電流および電源電圧対応のデジタル信号を提供された制御部１０４が各電気機器の種類を推定して、当該推定結果を、ネットワーク接続部１０２を介してコントローラ１５０に送信するようにしてもよい。
【００４０】
以上、ブレーカ１００の機能構成について説明した。次に、コントローラ１５０の構成について詳細に説明する。図３は、コントローラ１５０の機能構成を示すブロック図である。図３に示したように、コントローラ１５０は、機器推定部１５２、アドレス特定部１５４、稼働状況取得部１５６、テーブル作成部１５８、記憶部１６０、電力供給制御部１６２、送受信部１６４、ボタン押下検知部１６６などを備える。
【００４１】
機器推定部１５２は、ブレーカ１００から提供された複数の電気機器の電流および電圧に関する特徴量から、各電気機器がいずれの種類の電気機器かを推定する機能を有する。機器推定部１５２は、ブレーカ１００から提供された電源電流および電源電圧対応のデジタル信号を、特開２００８−３９４９２号公報に記載の線形判別法のアルゴリズム等に基づいて、各電気機器がいずれの種類の電気機器かを推定する。機器推定部１５２は、推定結果をテーブル作成部１５８に提供する。
【００４２】
図１に示したように、ブレーカ１００には、プリンタ、サーバ、ＰＣ（Ｐｅｒｓｏｎａｌ  Ｃｏｍｐｕｔｅｒ）、ＦＡＸなどの種々の電気機器が接続されている。機器推定部１５２は、ブレーカ１００から提供された電気機器の電流および電圧に関する特徴量から、各ブレーカ１００にどのような電気機器が接続されているかを推定する。
【００４３】
また、ブレーカ１００の制御部１０４が既存の電気機器の特徴量と、測定した電流および電圧から算出された特徴量との比較を行って、当該比較結果を機器推定部１５２に提供するようにしてもよい。ブレーカ１００から各電気機器の特徴量の比較結果を提供された機器推定部１５２は、当該比較結果に基づいて、電気機器の推定を行う。
【００４４】
稼動状況取得部１５６は、ブレーカ１００から提供された複数の電気機器の電流および電圧に関する特徴量から、各電気機器の稼動状況を取得する機能を有する。例えば、ブレーカ１００に接続されている機器がＰＣであった場合には、消費電力が大きい稼動状態なのか、小さい稼動状態なのか、待機中なのか、停止中なのかを取得する。また、ブレーカ１００に接続されている機器がプリンタであった場合には、印刷中、印刷待機中などの情報を取得する。稼動状況取得部１５６は、取得した稼動状況をアドレス特定部１５４およびテーブル作成部１５８に提供する。
【００４５】
アドレス特定部１５４は、稼動状況取得部１５６により取得された各電気機器の稼動状況と、各電気機器の通信状況とから、各電気機器の通信アドレスを特定する機能を有する。各電気機器の通信アドレス（ＩＰアドレス）は、ネットワーク接続部１８０を介して各電気機器に送受信されるパケットの通信状況により、送信元と受信元のＩＰアドレスとパケットの内容を取得することができる。パケットの内容とは、例えば、ＰＣであればＷｅｂを閲覧するためのコマンドであるか、プリンタであれば印刷指示のコマンドであるか等である。
【００４６】
そして、アドレス特定部１５４は、各電気機器に送受信されるパケットに含まれるＩＰアドレスがいずれのブレーカに接続されている電気機器のＩＰアドレスなのかを特定する。例えば、ＩＰアドレスが既知のプリンタである場合に、当該プリンタに対して印刷命令と印刷データを含むパケットを送信した場合、パケットを送信されたプリンタは待機モードから印刷モードに切り替えられる。プリンタが待機モードから印刷モードに切り替えられた場合にプリンタの消費電力が大きくなるため、ブレーカ１００に接続されている電気機器のうち、消費電力が大きくなったプリンタがパケットを送信したプリンタであることがわかり、該プリンタのＩＰアドレスを特定できることとなる。
【００４７】
また、ＩＰアドレスが既知のＰＣの場合も同様に、Ｗａｋｅｕｐ−Ｌａｎ等の機能を使って、ＰＣに対して起動命令を含むパケットを送信して、消費電力が大きくなった電気機器を特定する。そして、消費電力が大きくなった電気機器を、起動命令を送信したＰＣであると推定することにより、該ＰＣのＩＰアドレスを特定することが可能となる。
【００４８】
また、ＰＣが起動した際には、ＬＡＮとの通信が開始されるため、ＰＣの立ち上がりのタイミングの消費電力とパケットの通信タイミングからＩＰアドレスと電気機器との対応関係を推定することが可能となる。
【００４９】
また、ＩＰアドレスが既知のサーバの場合には、サーバにより処理されるパケット数の大小と、消費電力に相関関係があると推定して、ＩＰアドレスを特定することが可能となる。
【００５０】
また、ＰＣが稼動していないときにはパケットが送信されない。各ブレーカ１００に接続されているＰＣのうち、稼動していないＰＣがあれば、該ＰＣは現在流れているパケットの送受信ＩＰアドレスを持たないＰＣであると推定できる。予めＰＣのアドレスを収集可能な場合には、パケットが流れていないＩＰアドレスと電力を消費していない電気機器との対応関係からＩＰアドレスを特定することが可能となる。
【００５１】
テーブル作成部１５８は、機器推定部１５２により推定された電気機器の種類と、アドレス特定部１５４により特定された各電気機器のＩＰアドレスと、稼動状況取得部１５６により取得された各電気機器の稼動状況とを関連付けた機器テーブル１６１を作成する機能を有する。
【００５２】
ここで、図４を参照して、機器テーブル１６１の内容について説明する。図４は、機器テーブル１６１の内容を説明する説明図である。図４に示したように、機器テーブル１６１は、各ブレーカに接続されている電気機器と、各電気機器の種類、ＩＰアドレス、稼動状況とが対応付けられている。例えば、ブレーカ＃１には、電気機器１〜４が接続されている。そして、電気機器１〜３はＰＣであると推定され、それぞれのＩＰアドレスと稼動状況とが対応付けられている。また、電気機器＃４はＦＡＸであると推定され、ＦＡＸのＩＰアドレスと稼動状況とが対応付けられている。
【００５３】
記憶部１６０に記憶された機器テーブル１６１は、ユーザ操作に応じて、機器テーブル１６１の内容を変更するようにしてもよい。コントローラ１５０は、図１に示した表示部５０に機器テーブル１６１の内容を表示する。そして、ユーザは、表示部５０に表示された機器テーブル１６１の内容を確認して、変更する必要がある項目について入力部４０により変更入力するようにしてもよい。
【００５４】
これにより、例えば、機器推定部１５２により推定された電気機器の種類が、本来の電気機器の種類と異なっていた場合には、機器テーブル１６１の電気機器の種類１６１３の内容を本来の電気機器の種類に変更する。また、ＩＰアドレス特定部１５４により特定されたＩＰアドレスが本来のＩＰアドレスと異なっている場合には、機器テーブル１６１のＩＰアドレス１６１４の内容を本来のＩＰアドレスに変更する
【００５５】
電力供給制御部１６２は、各電気機器の種類に応じて、各電気機器が接続された複数のブレーカの電力供給を制御する機能を有する。また、電力供給制御部１６２は、ボタン押下検知部１６６によりユーザ操作に応じて退場ボタン（電力供給切断ボタン）３０が押下されたことが検知された場合に、各ブレーカの電力供給を制御する。
【００５６】
例えば、ブレーカ＃２に接続されている電気機器がサーバであると推定された場合には、サーバの電源は切断してはいけないため、電力供給制御部１６２は、ブレーカ２＃への電源は切断しない。また、ブレーカ＃１には、ＰＣのみだけでなく、ＦＡＸも接続されていると推定された場合には、ＦＡＸの電源は切断してはいけないため、電力供給制御部１６２は、ブレーカ＃１の電源は切断しない。
【００５７】
また、電力供給制御部１６２は、機器テーブル１６１を参照して、機器テーブル１６１の内容に基づいて各ブレーカの電力供給を制御する。この場合、電力供給制御部１６２は、電気機器の種類だけでなく、電気機器の稼動状況をも考慮して各ブレーカの電力供給を制御する。
【００５８】
例えば、ブレーカ＃３には複数のプリンタが接続されていると推定された場合には、通常プリンタは電源を切断してもよい電気機器であるため、電力供給制御部１６２はブレーカ＃３の電源を切断することとなる。しかしながら、機器テーブル１６１の稼動状況を参照して、ブレーカ＃３に接続されているプリンタのうち、印刷中のプリンタがあると判断した場合には、ブレーカ＃３の電源を切断しない。この場合、電力供給制御部１６２は、印刷中のプリンタの印刷が終了した後にブレーカ＃３の電源を切断するようにしてもよい。
【００５９】
また、電力供給制御部１６２は、送受信部１６４を介して、各電気機器に電力供給を切断する旨のメッセージを送信する。電力供給制御部１６２から電力供給メッセージを送信された各電気機器は、コントローラ１５０に切断可または切断不可のメッセージを送信する。各電気機器は、切断可／不可のメッセージだけでなく、「３分後に切断可」等のメッセージを送信するようにしてもよい。また、既に電源が切断されている電気機器からは電力供給メッセージに対する応答が送信されないこととなる。
【００６０】
電力供給制御部１６２は、各電気機器から受信した応答メッセージを、各電気機器に対応付けて記憶部１６０の機器テーブル１６１に記録させるよう、テーブル作成部１５８に指示してもよい。図５は、テーブル作成部１５８が、機器テーブル１６１に各電気機器の種類、ＩＰアドレス、稼動状況を対応付けて記録し、さらに、応答メッセージも対応付けて記録した場合の機器テーブル１６１の内容を説明する説明図である。
【００６１】
図５に示したように、機器テーブル１６１を参照すると、ブレーカ＃１に接続している電気機器１は、ＰＣであると推定され、現在稼働中（大）であるが、５分後に電源切断してもよいことがわかる。また、ブレーカ＃１に接続している電気機器２は、ＰＣであると推定され、現在稼働中（中）であるが、電源切断してもよいことがわかる。そして、ブレーカ＃１に接続している電機機器３は、ＰＣであると推定され、現在停止中であり、電源切断してもよいことがわかる。しかし、ブレーカ＃１の電気機器４はＦＡＸであり、電源切断不可の機器であることから、電力供給制御部１６２は、ブレーカ＃１は電源切断不可であると判断することとなる。
【００６２】
また、図５の機器テーブル１６１を参照すると、ブレーカ＃３に３台のプリンタが接続され、停止中であるため、応答メッセージを受信していない。したがって、電力供給制御部１６２は、ブレーカ＃３に接続している電機機器のすべてについて電源切断可であるため、ブレーカ＃３の電源は切断可であると判断する。
【００６３】
〔２−２〕電力削減方法の処理の詳細
以上、コントローラ１５０の機能構成について説明した。次に、図６及び図７を参照して、本実施形態にかかる電力削減方法について説明する。図６は、本実施形態にかかる電力削減方法における学習工程を示すフローチャートである。図６に示したように、まず、ブレーカ１００のセンサ部１０８により、各電気機器の電流波形および電圧波形が測定される（Ｓ１０２）。
【００６４】
そして、ブレーカ１００の特徴量抽出部１０６は、ステップＳ１０２において測定された電流波形および電圧波形から、ブレーカ１００に接続されている各電気機器の特徴量を抽出する（Ｓ１０４）。そして、ブレーカ１００の制御部１０４は、各電気機器の既存の特徴量と、ステップＳ１０４において抽出した各電気機器の特徴量とを比較する（Ｓ１０６）。ステップＳ１０６において比較した結果をコントローラに送る（Ｓ１０８）。
【００６５】
ブレーカ１００からステップＳ１０６における各電気機器の特徴量の比較結果を提供されたコントローラ１５０の機器推定部１５２は、ブレーカ１００に接続されている各電気機器の種類を推定する（Ｓ１１０）。次に、稼動状況取得部１５６は各電気機器の稼動状況を取得し、アドレス特定部１５４は各電気機器のＩＰアドレスを推定する（Ｓ１１２）。
【００６６】
そして、ステップＳ１１２において推定された各電気機器の種類およびＩＰアドレスを表示部５０に表示する（Ｓ１１４）。ステップＳ１１４において表示部５０に表示される表示内容は、例えば、図４に示した機器テーブル１６１の内容である。
【００６７】
そして、ステップＳ１１４において表示された内容について、ユーザにより変更入力がなされた場合には、当該入力に応じて表示内容を変更する（Ｓ１１６）。ステップＳ１１６において表示内容が変更され、変更が確定された場合には、テーブル作成部１５８は、機器テーブル１６１の該当項目を変更する（Ｓ１１８）。
【００６８】
図６では、各電気機器の比較結果をブレーカ１００からコントローラ１５０に送信して、コントローラ１５０において機器およびＩＰアドレスを推定しているが、かかる例に限定されない。例えば各電気機器の推定およびＩＰアドレスの推定をブレーカ１００の制御部１０４が実行し、推定結果をコントローラ１５０に送信するようにしてもよい。
【００６９】
以上、本実施形態にかかる電力削減方法の学習工程について説明した。次に、本実施形態にかかる電力削減方法の実行工程について説明する。図７に示したように、まずコントローラ１５０の電力供給制御部１６２は、退場ボタン３０が押下されたか否かを判定する（Ｓ２０２）。退場ボタン３０は、例えば、複数の機器が存在するオフィスの一室において、人が最終的にそのオフィスを退場する場合に押下されるボタンである。
【００７０】
ステップＳ２０２において、退場ボタン３０が押下されたと判定された場合には、分電板上のコントローラ１５０は、すべてのブレーカに接続されている電気機器に電源切断メッセージを送信する（Ｓ２０４）。ステップＳ２０２において、退場ボタン３０が押下されていないと判定された場合には、処理を終了する。
【００７１】
そして、ステップＳ２０４において送信した電源切断メッセージに対する各電気機器からの応答をコントローラ１５０が受信する（Ｓ２０６）。そして、コントローラ１５０は、ステップＳ２０６において受信した各電気機器からの応答を機器テーブル１６１に追加する（Ｓ２０８）。
【００７２】
コントローラ１５０は、学習工程において作成した機器テーブル１６１にステップＳ２０８の応答情報を追加した機器テーブル１６１に基づいて、各ブレーカ１００に切断処理を指示する（Ｓ２１０）。
【００７３】
例えば、上記した学習工程ではブレーカ１００に複数のＰＣが接続され、複数のＰＣのうち、１台のＰＣが稼働中であったと学習されたとする。また、ステップＳ２０６において受信した複数のＰＣからの応答メッセージのうち、稼働中の１台のＰＣから、５分後に電源を切断してもよい旨の応答メッセージが送信されたとする。この場合、コントローラ１５０は、ブレーカ１００に対して、５分後に電源を切断する処理を指示する。
【００７４】
そして、各ブレーカ１００は、ステップＳ２１０におけるコントローラ１５０からの指示に応じて、電源切断、電源切断の延期、電源切断を行わない等の切断処理を実施する（Ｓ２１２）。以上、本実施形態にかかる電力削減処理における実行工程について説明した。
【００７５】
以上、第１実施形態について説明した。第１実施形態によれば、電力削減装置１０は、複数の電気機器の電流および電圧に関する特徴量を抽出して、各電気機器がいずれの種類の電気機器かを推定し、推定した電気機器の種類に応じて電気機器が接続されたブレーカ１００の電力供給を制御する。例えば、電気機器の種類が電源切断不可能な電気機器である場合には電力供給を継続し、電気機器が電源切断可能であると判断した場合には電力供給を切断する。これにより、複数の電気機器の電源を適切に切断して消費電力を削減することが可能となる。
【００７６】
〔３〕第２実施形態
次に、第２実施形態について説明する。第１実施形態における電力削減装置１０では、ユーザにより退場ボタン３０が押下された場合に、電力削減処理が実行される。しかし、オフィスを最終退場するユーザが、退場ボタン３０を押下し忘れる可能性もある。この場合、電力削減処理が実行されず、省エネを実現することができないという問題があった。そこで、本実施形態では、最終退場者が退場ボタン３０を押下しなかった場合でも、適切に電力削減処理が実行することを可能とした。以下では、第１実施形態と異なる点について主に説明し、第１実施形態と同様の機能や処理については説明を省略する。
【００７７】
〔３−１〕電力削減装置の機能構成
電力削減装置１０′のハードウェア構成および機能構成は、第１実施形態の電力削減装置１０とほぼ同様のため、詳細な説明は省略する。コントローラ１５０′については、第１実施形態のコントローラ１５０と異なる機能を有するため、図８を参照して、コントローラ１５０′について説明する。
【００７８】
図８に示したように、コントローラ１５０′は、機器推定部１５２、アドレス特定部１５４、稼働状況取得部１５６、テーブル作成部１５８、記憶部１６０、電力供給制御部１６２、送受信部１６４、ボタン押下検知部１６６、最終退場判断部１６８を備える。本実施形態にかかるコントローラ１５０′は、第１実施形態にかかるコントローラ１５０とは、最終退場判断部１６８を備える点で異なっている。以下では、最終退場判断部１６８について主に説明し、第１実施形態と同様の機能構成については詳細な説明を省略する。
【００７９】
最終退場判断部１６８は、最終退場者が退場ボタン３０を明示的に押下することなく退場した場合に、最終退場者であるか否かを判定する機能を有する。最終退場判断部１６８は、ユーザが最終退場したと判断した場合には、当該判断結果を電力供給制御部１６２に通知する。ユーザが最終退場した旨通知された電力供給制御部１６２は、第１実施形態において退場ボタン３０が押下された場合と同様に、機器テーブル１６１に基づいて、電源切断処理を実行する。
【００８０】
最終退場判断部１６８は、電力削減装置１０′が設置された居室の照明情報に基づいて、ユーザが最終退場者であるか否かを判定する。例えば、コントローラ１５０′に接続されている各種センサ６０が、明かりを検知するセンサであるとする。この場合、明かり検知センサにより、居室のすべての照明が消灯されたことが検知された場合には、最終退場判断部１６８は、ユーザが最終退場したと判断する。
【００８１】
また、最終退場判断部１６８は、ユーザが携行しているカードパスの履歴情報によりユーザが最終退場者であるか否かを判定する。例えば、ユーザのカードパスの履歴情報により、居室には誰もいないと判断され、オフィスからもユーザが退場したと判断した場合に、ユーザが最終退場したと判断する。
【００８２】
また、居室に監視カメラ等を設置し、監視カメラからの情報により、居室にユーザが存在しないと判断された場合に、オフィスからユーザが最終退場したと判断してもよい。このように、ユーザにより退場ボタン３０が明示的に押下されなかった場合でも、居室の照明情報等を用いて、ユーザが最終退場したか否かを判定することができる。これにより、最終退場者が退場ボタン３０を押下しなかった場合でも、適切に電力削減処理を実行することが可能となる。
【００８３】
〔３−２〕電力削減方法の処理の詳細
本実施形態にかかる電力削減方法のうち、学習工程については、第１実施形態の電力削減方法における学習工程とほぼ同様のため、詳細な説明は省略する。また、本実施形態にかかる電力削減方法のうち、実行工程について以下の点で第１実施形態とは異なっている。すなわち、第１実施形態では、ボタン押下検知部１６６がユーザ操作により退場ボタンが押下されたか否かを判定しているが、本実施形態では、最終退場判断部１６８がユーザが最終退場したか否かを判定している点で異なっている。
【００８４】
また、最終退場判断部１６８によりユーザが最終退場したとの判断結果をボタン押下検知部１６６に通知するようにしてもよい。また、ボタン押下検知部１６６により退場ボタン３０が押下され、さらに、最終退場判断部１６８によりユーザが最終退場した場合に電力供給制御部１６２により電力供給制御が実行されるようにしてもよい。これにより、ユーザが誤って退場ボタン３０を押下してしまった場合でも、直ちにブレーカの電源が切断されないこととなる。
【００８５】
以上、第２実施形態について説明した。第２実施形態によれば、最終退場判断部１６８により、ユーザが最終退場したか否かを判断して、当該判断により各電気機器への電力供給が制御される。これにより、最終退場者が退場ボタン３０を押下しなかった場合でも、適切に電力削減処理が実行することを可能となる。
【００８６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８７】
上記実施形態では、アドレス特定部１５４は、稼動状況取得部１５６により取得された各電気機器の稼動状況と、各電気機器の通信状況とから、各電気機器の通信アドレスを特定したが、かかる例に限定されない。例えば、ユーザが手動でＣＳＶファイル等をアップロードすることにより通信アドレスを指定するようにしてもよい。
【００８８】
また、上記実施形態では、ボタン押下検知部１６６や最終退場判断部１６８により、ユーザが最終退場したと判断された場合に、電力供給を制御することとしたが、本発明はかかる例に限定されない。例えば、所定時刻に電源切断制御をするようにしてもよいし、所定時間経過した場合に電源切断制御をするようにしてもよい。
【符号の説明】
【００８９】
１０      電力削減装置
１００    ブレーカ
１０４    制御部
１０６    特徴量抽出部
１０８    センサ部
１１０    リレー回路
１２０    メインブレーカ
１５０    コントローラ
１５２    機器推定部
１５４    アドレス特定部
１５６    稼動状況取得部
１５８    テーブル作成部
１６０    記憶部
１６１    機器テーブル
１６２    電力供給制御部
１６４    送受信部
１６６    ボタン押下検知部
１６８    最終退場判断部
【図１】
2010231327.tif 000003
【図２】
2010231327.tif 000004
【図３】
2010231327.tif 000005
【図４】
2010231327.tif 000006
【図５】
2010231327.tif 000007
【図６】
2010231327.tif 000008
【図７】
2010231327.tif 000009
【図８】
2010231327.tif 000010